(57)【要約】【課題】放熱器の保持構造を簡略化した照明器具を提供する。【解決手段】実施形態によれば、照明器具は、光源取付部と、少なくとも光源取付部の背面側に設けられた複数のフィンとを有する放熱器と、放熱器の光源取付部に取り付けられた光源と、放熱器の周囲を囲む放熱器取付リングとを備えている。複数のフィンは、放熱器の高さ方向に延びる複数の第１のフィンと、第１のフィンよりも高さ方向の長さが短い複数の第２のフィンとを有する。第２のフィンは、放熱器の周囲を囲む放熱器取付リング上に支持されて放熱器取付リングの上方に延び、第１のフィンは、放熱器取付リングの上方及び下方に延び、複数の第１のフィンの間に、放熱器取付リングの下方から上方にかけて連続した隙間が形成されている。【選択図】図１
2014067501.tif 000002
【特許請求の範囲】
【請求項１】
光源取付部と、少なくとも前記光源取付部の背面側に設けられた複数のフィンとを有する放熱器と、
前記放熱器の前記光源取付部に取り付けられた光源と、
前記放熱器の周囲を囲む放熱器取付リングと、
を備え、
前記複数のフィンは、前記放熱器の高さ方向に延びる複数の第１のフィンと、前記第１のフィンよりも前記高さ方向の長さが短い複数の第２のフィンと、を有し、
前記第２のフィンは、前記放熱器の周囲を囲む前記放熱器取付リング上に支持されて前記放熱器取付リングの上方に延び、
前記第１のフィンは、前記放熱器取付リングの前記上方及び下方に延び、複数の前記第１のフィンの間に、前記放熱器取付リングの前記下方から前記上方にかけて連続した隙間が形成されている照明器具。
【請求項２】
前記放熱器取付リングには、内周側が開口された切欠きが形成され、
前記切欠きに前記第２のフィンを位置決めして、前記放熱器取付リングの内側に前記放熱器を通し、前記第２のフィンが前記放熱器取付リングの前記上方に移動されると、前記放熱器と前記放熱器取付リングとは相対的に前記放熱器取付リングの周方向に回転され、前記第２のフィンは前記切欠きから外れた前記放熱器取付リング上の支持位置に移動される請求項１記載の照明器具。
【請求項３】
前記複数の第１のフィンにおける前記高さ方向の途中に段部が設けられ、
前記放熱器取付リングの下面側から前記放熱器取付リングの内側に通された前記放熱器は、前記段部が前記放熱器取付リングの前記下面に当たり、前記放熱器取付リングに対する上方への移動が規制される請求項１または２に記載の照明器具。
【請求項４】
前記光源取付部の裏側の上面上に、前記光源と電気的に接続されたコネクタが設けられ、前記コネクタは外部配線の挿入口を上方に向けている請求項１〜３のいずれか１つに記載の照明器具。
【請求項５】
前記コネクタは、前記第１のフィンで挟まれたスペースに設けられている請求項４記載の照明器具。
【発明の詳細な説明】
【技術分野】
【０００１】
本発明の実施形態は、照明器具に関する。
【背景技術】
【０００２】
複数のフィンが設けられた放熱器を器具本体として備えた照明器具において、放熱器（器具本体）は、保持部材を介して天井などに取り付けられる。保持部材に対する放熱器の保持構造としては、フィン以外の部分を利用して放熱器を保持部材に保持させた構造が知られている。
【先行技術文献】
【特許文献】
【０００３】
【特許文献１】特開２０１１−２１６３１３号公報
【特許文献２】特開２０１０−３６７７号公報
【発明の概要】
【発明が解決しようとする課題】
【０００４】
放熱器の保持構造を簡略化した照明器具を提供する。
【課題を解決するための手段】
【０００５】
実施形態によれば、照明器具は、光源取付部と、少なくとも前記光源取付部の背面側に設けられた複数のフィンとを有する放熱器と、前記放熱器の前記光源取付部に取り付けられた光源と、前記放熱器の周囲を囲む放熱器取付リングと、を備えている。前記複数のフィンは、前記放熱器の高さ方向に延びる複数の第１のフィンと、前記第１のフィンよりも前記高さ方向の長さが短い複数の第２のフィンと、を有する。前記第２のフィンは、前記放熱器の周囲を囲む前記放熱器取付リング上に支持されて前記放熱器取付リングの上方に延びている。前記第１のフィンは、前記放熱器取付リングの前記上方及び下方に延び、複数の前記第１のフィンの間に、前記放熱器取付リングの前記下方から前記上方にかけて連続した隙間が形成されている。
【発明の効果】
【０００６】
部品の削減及び施工性の向上が可能となる。
【図面の簡単な説明】
【０００７】
【図１】実施形態の照明器具の斜視図。
【図２】実施形態の照明器具の斜視図。
【図３】実施形態の照明器具における放熱器の斜視図。
【図４】実施形態の照明器具における放熱器の斜視図。
【図５】実施形態の照明器具における光源の平面図。
【図６】実施形態の照明器具における放熱器に対する光源の取付構造の拡大斜視図。
【図７】実施形態の照明器具の模式断面図。
【図８】実施形態の照明器具における放熱器の下面図。
【図９】図７に示す絶縁部材の斜視図。
【図１０】実施形態の照明器具における放熱器の斜視図。
【図１１】実施形態の照明器具における放熱器の斜視図。
【図１２】実施形態の照明器具における保持部材の斜視図。
【図１３】実施形態の照明器具における保持部材の斜視図。
【発明を実施するための形態】
【０００８】
以下、図面を参照し、実施形態について説明する。なお、各図面中、同じ要素には同じ符号を付している。
【０００９】
図１は、実施形態の照明器具１の斜視図である。  
図２は、図１に示す照明器具１を下面側から見た斜視図である。
【００１０】
実施形態の照明器具１は、放熱器１０と、放熱器１０の内部に設けられた光源４０と、放熱器１０を保持する保持部材８０とを有する。
【００１１】
図３は、放熱器１０の斜視図である。  
図４は、放熱器１０を下面側から見た斜視図である。  
図５は、放熱器１０の下面図である。
【００１２】
放熱器１０は、金属からなり、放熱体を兼ねている。なお、本明細書において「金属」は純金属に限らず、合金も含む。放熱器１０は、例えばアルミニウムのダイカスト成形体である。
【００１３】
放熱器１０は、椀状容器形状の光源収容部１１を有する。光源収容部１１は、図４に示すように、筒状の側壁部１３と、側壁部１３の上端部に設けられた光源取付部１２とを有する。側壁部１３の下端側には光源取付部１２に対向した開口９８（図７に示す）が形成され、その開口９８の周縁部にはフランジ部１４が設けられている。側壁部１３は、光源取付部１２と開口９８の縁部との間に設けられている。
【００１４】
側壁部１３の内側における開口９８よりも光源取付部１２側には、リング状の反射体支持部１５が設けられている。フランジ部１４と反射体支持部１５との間に段差が形成されている。
【００１５】
光源取付部１２の裏面である光源収容部１１の上面上（光源取付部１２の背面側）、および側壁部１３の外壁には、複数の第１のフィン１６が設けられている。第１のフィン１６は、放熱器１０の高さ方向（図３においてＺ方向）に延びている。
【００１６】
複数の第１のフィン１６は、Ｚ方向に対して直交するＸ方向に配列され、Ｘ方向で隣り合う第１のフィン１６間に隙間２４が形成されている。
【００１７】
光源収容部１１の上面上には、Ｘ方向に延びる隔壁２０が設けられている。第１のフィン１６は、隔壁２０を挟んで、Ｚ方向及びＸ方向に対して直交するＹ方向に延びている。
【００１８】
それぞれの第１のフィン１６におけるＺ方向の途中には、段部１９が設けられている。第１のフィン１６は、光源収容部１１の側壁部１３の外壁に設けられた下部１６ｂと、光源収容部１１の上面上に設けられた上部１６ａとを有する。段部１９は、第１のフィン１６の上部１６ａと下部１６ｂとの間に設けられている。下部１６ｂは、上部１６ａよりもＹ方向の外側に出っ張っている。放熱器１０の上面視にて、複数の段部１９は円を描く軌跡上に配列されている。
【００１９】
Ｘ方向の最も外側に設けられた第１のフィン１６の外壁には、第２のフィン１７が設けられている。隔壁２０におけるＸ方向の一端部に２つの第２のフィン１７がＹ方向に離間して設けられ、隔壁２０におけるＸ方向の他端部にも２つの第２のフィン１７がＹ方向に離間して設けられている。
【００２０】
第２のフィン１７は、段部１９よりも上方に延び、段部１９より下方には延びていない。したがって、第２のフィン１７のＺ方向の長さは、第１のフィン１６のＺ方向の長さよりも短い。
【００２１】
Ｙ方向で隣り合う２つの第２のフィン１７の下端部の間には、図１及び図４に示すように、ネジ止め部１８が設けられている。第２のフィン１７およびネジ止め部１８は、Ｘ方向の最も外側の第１のフィン１６の側壁からＸ方向の外側に突出している。
【００２２】
図４に示す放熱器１０の光源取付部１２には、図５に示すように光源４０が取り付けられる。
【００２３】
光源４０は、セラミックからなる基板４１と、基板４１上に実装された複数の発光素子４２とを有する。発光素子４２は、例えばＬＥＤ（Light Emitting Diode）素子である。
【００２４】
ＬＥＤの活性層の材料として、例えば窒化ガリウム（ＧａＮ）系化合物半導体を用いると、波長５００ｎｍ以下の短波長光が得られる。ただし、活性層の材料は、窒化ガリウム系化合物半導体に限られるものではない。
【００２５】
また、発光素子４２としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００２６】
発光素子４２の表面は、蛍光体層４３で覆われている。蛍光体層４３は、樹脂層と樹脂層中に分散された複数の粒子状の蛍光体とを有する。
【００２７】
発光素子４２の実装領域の周囲は例えばシリコーンなどの樹脂４４で囲まれ、その樹脂４４で囲まれた領域に蛍光体層４３が供給される。蛍光体層４３は液状の状態で供給された後、熱硬化される。樹脂４４によって液状の蛍光体層４３の広がりが規制される。
【００２８】
実施形態においては、例えば、青色光を発光する発光素子（ＬＥＤ）４２と、その青色光（励起光）を吸収して黄色光に変換する蛍光体を含む蛍光体層４３との組み合わせにより、光源４０は、青色光と黄色光との混合色として白色や電球色などの光を放出する。なお、蛍光体としては、赤色光を発光する赤色蛍光体および緑色光を発光する緑色蛍光体を含むものを使ってもよい。
【００２９】
光源４０の基板４１は、放熱器１０の光源取付部１２に対して、金属バネ部材５０によって固定されている。図５に示すように、基板４１の例えば四隅近傍が、金属バネ部材５０によって光源取付部１２に対して固定されている。
【００３０】
図６に、光源取付部１２に対する基板４１の、金属バネ部材５０による取付部の拡大斜視図を示す。
【００３１】
金属バネ部材５０は、ネジ止め部５１と、ネジ止め部５１から突出した一対の突出部５２、５３と、一対の突出部５２、５３の間でネジ止め部５１から突出した板バネ部５４とが一体に設けられた金属板状に形成されている。
【００３２】
光源取付部１２には、平面形状がＵ字状のリブ４６が設けられ、そのリブ４６の内側にネジ止め部５１が収まっている。ネジ止め部５１はネジ５５によって光源取付部１２に対して固定される。リブ４６は、ネジ止め部５１の回り止めとして機能する。
【００３３】
一対の突出部５２、５３のうち一方の突出部５３の突出長さは、他方の突出部５２の突出長さよりも短い。図５に示すように、一対の突出部５２、５３のうち、少なくとも突出長さの長い突出部５２が、基板４１に重なる位置にまで延びている。
【００３４】
板バネ部５４は、ネジ止め部５１に片持ち支持された板バネであり、その付勢力（弾性復元力）によって基板４１を光源取付部１２に押し付けている。板バネ部５４の先端部は、基板４１に設けられた掛止部４５に引っ掛けられ、基板４１に対する板バネ部５４の押圧部の位置変動が規制されている。
【００３５】
一対の突出部５２、５３のうち一方の突出部５３は他方の突出部５２よりも短いため、板バネ部５４を指や工具でつかんで、その先端部を掛止部５４に挿入して引っ掛ける作業性がよい。
【００３６】
図７は、放熱器１０の光源収容部１１の内部の模式断面図である。  
図８は、図７における透光カバー７５側から光源４０を見た下面図である。
【００３７】
光源４０の発光面（発光素子４２が実装された面、または蛍光体層４３の表面）は、光源収容部１１の側壁部１３で囲まれた空間に向けられる。その空間内には、反射体６１が設けられている。
【００３８】
反射体６１は、金属からなる。反射体６１は、例えば、表面がバフ研磨された後、アルマイト処理（酸化皮膜処理）されることで光沢が与えられたアルミニウムからなる。
【００３９】
反射体６１は、リング状のフランジ部６２と、フランジ部６２の内側の周縁部から光源４０側に突出した筒部６３とを有する。
【００４０】
筒部６３の先端（図７において上端）は、光源４０の発光面（発光素子４２及び蛍光体層４３が設けられた領域）の近傍にまで突出し、光源４０の発光面は、反射体６１の筒部６３の内側の空間に面している。筒部６３は、光源４０に対して離間し、光源４０に接触していない。
【００４１】
筒部６３における光源４０側には採光開口９６が形成され、筒部６３におけるフランジ部６２側には投光開口９７が形成されている。採光開口９６は光源４０の発光面に向き合い、投光開口９７は透光カバー７５を介して、本体１０の下端の開口９８に向き合っている。
【００４２】
採光開口９６及び投光開口９７は、互いの中心を一致させた円形状または円形に近い形状に形成され、採光開口９６の面積は投光開口９７の面積よりも小さい。筒部６３は、採光開口９６から投光開口９７に向かって拡開し、その内壁面に反射面６３ａが形成されている。
【００４３】
反射体６１の下方であって、本体１０の開口９８側には、透光カバー７５が設けられている。透光カバー７５は、光源４０から出射される光に対する透過性を有し、ガラスからなる。透光カバー７５は、円形板状に形成され、反射体６１の下方で、反射体６１に対して離間して、光源収容部１３の内部空間を覆っている。
【００４４】
反射体６１と透光カバー７５は、両者に共通の（１つの）絶縁部材６５に保持されて、放熱器１０に対して取り付けられている。
【００４５】
図９は、絶縁部材６５の斜視図である。
【００４６】
絶縁部材６５は、電気絶縁性を有するとともに、反射体６１の金属および透光カバー７５のガラスよりも軟らかい材料の樹脂またはゴムからなる。例えば、絶縁部材６５は、シリコーンを主成分として含む材料からなる。
【００４７】
絶縁部材６５は、反射体６１のフランジ部６２及び透光カバー７５の外縁部を保持するとともに、反射体６１のフランジ部６２と透光カバー７５の外縁部との間、および反射体６１のフランジ部６２と放熱器１０の反射体支持部１５との間に介在されている。
【００４８】
絶縁部材６５は、放熱器１０の反射体支持部１５と反射体６１のフランジ部６２との間に介在された第１のリング部６６を有する。さらに、絶縁部材６５は、反射体６１のフランジ部６２と透光カバー７５の外縁部との間に介在された第２のリング部６７を有する。さらに、絶縁部材６５は、第２のリング部６７の反対側で透光カバー７５の外縁部を覆う第３のリング部６８を有する。さらに、絶縁部材６５は、反射体６１のフランジ部６２の側面と光源収容部１１の内壁との間、および透光カバー７５の側面と光源収容部１１の内壁との間に介在された側面部６９を有する。
【００４９】
第１のリング部６６と第２のリング部６７との間には環状の第１の溝７２が形成され、反射体６１のフランジ部６２は第１の溝７２に挿入されている。
【００５０】
第２のリング部６７と第３のリング部６８との間には環状の第２の溝７３が形成され、透光カバー７５の外縁部は第２の溝７３に挿入されている。
【００５１】
第２のリング部６７を挟んで、第１の溝７２の下に第２の溝７３が形成されている。反射体６１のフランジ部６２の下に、第２のリング部６７を介在させて透光カバー７５の外縁部が重ねられている。透光カバー７５は反射体６１のフランジ部６２に対して離間し、接触していない。
【００５２】
絶縁部材６５の第３のリング部６８および放熱器１０の下端部５６に対して、リング状の押さえ部材７６が重ねられている。押さえ部材７６は、金属からなり、図８に示すネジ７７によって放熱器１０の下端部５６にネジ止めされている。
【００５３】
図７に示すように、絶縁部材６５、この絶縁部材６５に保持された反射体６１および透光カバー７５は、押さえ部材７６と放熱器１０の反射体支持部１５との間に挟まれて、放熱器１０に対して保持されている。
【００５４】
反射体６１のフランジ部６２と放熱器１０との間には絶縁部材６５が介在され、反射体６１のフランジ部６２は放熱器１０に対して接触していない。また、反射体６１の筒部６３は、放熱器１０に対して離間し、接触していない。
【００５５】
金属からなる放熱器１０は接地されている。反射体６１は、放熱器１０及び光源４０に接触しておらず、電気的にフローティングである。
【００５６】
光の反射機能は反射体６１の筒部６３が主に担う。一方、反射体６１のフランジ部６２は放熱器１０に対して支持される部分であることから、筒部６３に比べて放熱器１０との距離が近くなる。
【００５７】
実施形態によれば、光吸収による劣化が懸念される樹脂ではなく、樹脂よりも耐久性に優れた金属で反射体６１を構成することで高い信頼性を実現しつつ、反射体６１のフランジ部６２と放熱器１０との間に絶縁部材６５を介在させることで、反射体６１のフランジ部６２と放熱器１０との間に、十分な沿面距離（２つの導電性部分間の、絶縁物表面に沿った最短距離）を確保することができる。
【００５８】
また、透光カバー７５も樹脂ではなく、ガラスを用いることで、樹脂劣化による不具合を回避できる。ガラスの透光カバー７５は、金属の反射体６１に対して直接接触させると破損が懸念されるが、実施形態によれば、上記絶縁部材６５を反射体６１のフランジ部６２と透光カバー７５との間に介在させることで、ガラスの透光カバー７５を保護している。
【００５９】
ガラスの透光カバー７５の保護、および反射体６１と放熱器１０との絶縁を、１つの絶縁部材６５に兼用させることで、部品点数の増大を抑えることができる。この結果、コスト低減を図れる。さらに、放熱器１０に対して、絶縁部材６５、反射体６１および透光カバー７５を取り付ける組み立て性を向上できる。
【００６０】
また、実施形態によれば、図７に示すように、絶縁部材６５は、第１のリング部６６から光源４０側に突出した延長部７１をさらに有する。延長部７１は、放熱器１０の側壁部１３と、反射体６１の筒部６３との間に介在され、反射体６１の筒部６３の周囲を囲むリング状または筒状に形成されている。
【００６１】
反射体６１の筒部６３において、フランジ部６２に近い下部は、光源４０側の上部よりも放熱器１０の側壁部１３に対する距離が短い。その筒部６３の下部と放熱器１０との間に絶縁部材６５の延長部７１が介在することで、筒部６３の下部と放熱器１０との間の沿面距離を十分に確保することができる。
【００６２】
絶縁部材６５の延長部７１は、反射体６１の筒部６３に対して離間し、筒部６３に密着していない。このため、種々のサイズ、形状の筒部６３を有する反射体６１に対して汎用的に絶縁部材６５を使える。
【００６３】
また、絶縁部材６５の延長部７１は、放熱器１０の内壁に対して離間し、放熱器１０の内壁に接していない。このため、リング状の絶縁部材６５を放熱器１０内に挿入する際に、延長部７１が放熱器１０の内壁にぶつかることによる挿入作業性の低下をまねかない。
【００６４】
図３に示すように、放熱器１０の光源収容部１１の上面上には、一部の第１のフィン１６のＹ方向の突出長さが他の第１のフィン１６よりも短くされることで形成された、コネクタ取付スペース２３が設けられている。
【００６５】
コネクタ取付スペース２３のＸ方向の両端には、第１のフィン１６がコネクタ取付スペース２３を仕切るように位置している。それら第１のフィン１６は、コネクタ取付スペース２３をＸ方向に挟んで位置している。コネクタ取付スペース２３の底面（光源収容部１１の上面）２１には、貫通孔２２が形成されている。
【００６６】
コネクタ取付スペース２３には、図１０に示すように、コネクタ固定金具１１０が設けられる。コネクタ取付金具１１０は、ネジ１１４によって第１のフィン１６にネジ止めされている。
【００６７】
コネクタ取付スペース２３における底面側の空間は、コネクタ固定金具１１０の側板部１１２とコネクタ支持板１１１とで囲まれている。コネクタ支持板１１１には、開口１１３が形成されている。
【００６８】
コネクタ支持板板１１１上には、図１１に示すように、コネクタ（または端子台）１１６が設けられる。コネクタ１１６は、コネクタ支持板１１１に形成された開口１１３、および光源収容部１１の上面に形成された貫通孔２２を通される配線ケーブルによって、光源収容部１１の上面の裏側の光源取付部１２に設けられた光源４０と電気的に接続されている。
【００６９】
コネクタ１１６の配線挿入口は、放熱器１０の高さ方向（Ｚ方向）の上方に向けられている。また、コネクタ固定金具１１０には、ケーブルガイド１１７が取り付けられている。
【００７０】
照明器具１とは別に設けられた点灯ユニットと接続された配線ケーブルが、ケーブルガイド１１７の上方から下方に通され、そのままケーブルガイド１１７の下方のコネクタ１１６の配線挿入口に差し込まれる。コネクタ１１６を介して、点灯ユニットと光源４０とが電気的に接続され、点灯ユニットの出力が光源４０に送られる。
【００７１】
コネクタ１１６に、点灯ユニットの配線ケーブルを接続した後、コネクタ取付スペース２３は、図１に示すコネクタカバー１１５でカバーされる。ネジ１４１によって、コネクタカバー１１５は、コネクタ固定金具１１０の側板部１１２にネジ止めされる。コネクタカバー１１５によって、コネクタ１１６と配線ケーブルとの接続部が、ほこりなどから保護される。
【００７２】
コネクタカバー１１５の内側のコネクタ取付スペース２３内でコネクタ１１６に接続された配線ケーブルは、コネクタカバー１１５とコネクタ固定金具１１０との間に形成された切欠き１１９を通じてコネクタ取付スペース２３の外に導出され、さらにコネクタカバー１１５の上面に設けられたケーブルガイド１１８を通されて、点灯ユニットに接続されている。
【００７３】
図１１に示すように、コネクタ１１６の配線挿入口は上方に向けられており、さらにケーブルガイド１１７のガイドによって、配線ケーブルは放熱器１０の高さ方向に延びて放熱器１０の上方に引き出される。また、コネクタ固定金具１１０およびそのコネクタ固定金具１１０に取り付けられたコネクタ１１６は、第１のフィン１６間のスペース２３に設けられ、第１のフィン１６よりもＹ方向に出っ張っていない。
【００７４】
このため、後述する放熱器取付リング８１の内側に放熱器１０を通す際に、コネクタ１１６および配線ケーブルがじゃまにならず、組み立て作業性に優れる。
【００７５】
次に、保持部材８０について説明する。
【００７６】
図１２及び図１３は、保持部材８０の斜視図である。
【００７７】
保持部材８０は、前述した放熱器１０が取り付けられる放熱器取付リング（以下、単に取付リングともいう）８１を有する。
【００７８】
取付リング８１の外周側の縁部には、下方に突出するリブ８２が、取付リング８１の周方向に沿って連続して設けられている。このリブ８２は、取付リング８１の強度を高める。
【００７９】
取付リング８１には、内周側が開口された一対の切欠き８３が形成されている。一対の切欠き８３は、取付リング８１の中心を直径方向に挟んだ位置に形成されている。切欠き８３において、取付リング８１の周方向の一端部には、切欠き８３に連続してつながったＵ字溝８４が周方向に形成されている。
【００８０】
取付リング８１の上方にはアングル部材９３が設けられている。アングル部材９３の下端部が、取付リング８１に対してネジ止めされている。
【００８１】
取付リング８１の下方には、リング状の化粧枠８６が設けられている。化粧枠８６は、内周側の縁部から取付リング８１側に突出した筒部８７を有する。
【００８２】
取付リング８１と化粧枠８６は、２本のシャーシ８８によって連結されている。２本のシャーシ８８は、取付リング８１の中心を直径方向に挟んだ位置、および化粧枠８６の中心を直径方向に挟んだ位置に設けられている。取付リング８１と化粧枠８６は、それぞれの中心を一致させて上下に離間して重なっている。
【００８３】
シャーシ８８の上端部は、取付リング８１の下面に対してネジ止めされている。シャーシ８８の下端部は、化粧枠８６の筒部８７に対してネジ止めされている。
【００８４】
化粧枠８６の内側には、筒状の反射鏡９２が取り付けられている。反射鏡９２の上端部側の一部は、化粧枠８６の筒部８７よりも上方に（取付リング８１側に）突出し、その反射鏡９２の突出部の外周面に、筒状の取付金具９１が取り付けられている。反射鏡９２及び取付金具９１は、化粧枠８６及びシャーシ８８に対して固定されずに着脱自在になっている。
【００８５】
取付金具９１の外壁には一対のカップリング９０がネジ止めされ、それぞれのカップリング９０にはＶ字バネ８９が結合されている。一対のＶ字バネ８９が、化粧枠８６の中心を直径方向に挟んだ位置に設けられている。
【００８６】
次に、保持部材８０に対する放熱器１０の取り付け方法について説明する。
【００８７】
放熱器１０は、取付リング８１の軸方向に、保持部材８０に対して相対的に移動され、取付リング８１の内側を通される。放熱器１０は、フィン１６及び１７の上端部側から化粧枠８６の内側および反射鏡９２の内側に挿入される。
【００８８】
第２のフィン１７が取付リング８１の切欠き８３に位置決めされた状態で、取付リング８１の内側に放熱器１０が通され、第２のフィン１７が取付リング８１の上方に移動される。
【００８９】
取付リング８１の下面側から取付リング８１の内側を通された放熱器１０は、第１のフィン１６の高さ方向の途中に形成された段部１９が取付リング８１の下面に当たることで、取付リング８１に対する上方への移動が規制される。このため、放熱器１０を確実に保持部材８０に対して位置決めすることができる。
【００９０】
また、第１のフィン１６に形成した段部１９を利用することで、放熱器１０の保持部材８０に対する位置決めに別の部品を使用しなくてよく、部品の削減および構造簡略化によるコスト低減を図れる。
【００９１】
第２のフィン１７が取付リング８１の上方に移動されると、放熱器１０と取付リング８１とは相対的に取付リング８１の周方向に回転され、第２のフィン１７の下端部のネジ止め部１８は、切欠き８３から外れた取付リング８１上の支持位置に移動される。
【００９２】
具体的には、第２のフィン１７のネジ止め部１８が、取付リング８１における切欠き８３から、Ｕ字溝８４が形成された位置に移動される。第２のフィン１７は、取付リング８１におけるＵ字溝８４の周辺部分の上に支持され、取付リング８１の上方に延びている。
【００９３】
そして、第２のフィン１７の下端部１８は、取付リング８１に対してネジ止め固定される。図１及び図２に示すネジ１４２が、取付リング８１の下面側から、取付リング８１のＵ字溝８４を貫通して、第２のフィン１７のネジ止め部１８に形成されたネジ孔に結合される。ネジ１４２の軸部は、図１に示すように、第２のフィン１７の間の空間に突出する。ネジ１４２の頭部と、取付リング８１の下面との間には、ワッシャーが介在されている。
【００９４】
放熱器１０の下端部にネジ止めされた図７及び図８に示す押さえ部材７６は、保持部材８０の反射鏡９２の上端および取付金具９１の上端に対してわずかな隙間をあけて対向する。透光カバー７５は、反射鏡９２の上端の上方で、反射鏡９２の内側の空間に臨む。
【００９５】
光源４０から出射された光は、反射体６１、透光カバー７５および反射鏡９２によって配光制御されて、化粧枠８６の下方の外部に放出される。
【００９６】
実施形態によれば、放熱機能を担う第２のフィン１７に、放熱器１０を取付リング８１に対して固定させる機能も担わせている。このため、無駄を省いた効率の良い設計を行え、部品点数の削減による小型化、軽量化および低コスト化を図れる。
【００９７】
第２のフィン１７よりも高さ方向（Ｚ方向）の長さが長い第１のフィン１６は、取付リング８１の上方および下方に延びている。複数の第１のフィン１６の間には、取付リング８１の下方から上方にかけて連続した隙間２４が形成されている。したがって、第１のフィン１６のＺ方向に沿った空気の対流が取付リング８１によって妨げられず、放熱器１０の放熱器としての機能を十分に発揮できる。
【００９８】
放熱器１０を保持した保持部材８０は、例えばアングル部材９３を介して、天井などの照明器具取付対象に取り付けることができる。天井から吊り下げられたボルトが、アングル部材９３の貫通孔９４に通され、アングル部材９３の下面側に突出したボルトに対してナットが結合される。
【００９９】
図１３に示すように、シャーシ８８には、２本のスリット８８ａが形成されている。２本のスリット８８ａは、取付リング８１と化粧枠８６とを結ぶ方向に延びている。スリット８８ａにおける取付リング８１側には、スリット８８ａの幅方向に突出したＵ字溝８８ｂが形成されている。２本のスリット８８ａのうち一方のスリット８８ａに形成されたＵ字溝８８ｂは他方のスリット８８ａから離れる方向に突出している。
【０１００】
スリット８８ａには図示しない取付金具が上下動自在に差し込まれ、その取付金具がＵ字溝８８ｂに引っ掛かることで取付金具の上方への移動が規制される。その上方への移動が規制された取付金具が天井を押さえ込むことで、照明器具１は天井に対して保持される。
【０１０１】
Ｖ字バネ８９の一対のアーム８９ａは互いに近づく方向に押し縮められ、図３に示す本体１０の下端のフランジ部１４に形成された切欠き９５に係合させられる。
【０１０２】
図１に、Ｖ字バネ８９のアーム８９ａが、本体１０の切欠き９５に係合した状態を示す。アーム８９ａを切欠き９５に係合させた後、アーム８９ａを押し縮めていた力を解除すると、一対のアーム８９ａは弾性復元力により広がる。
【０１０３】
一対のアーム８９ａが広がる動作に伴い、Ｖ字バネ８９は本体１０に対して上方に移動し、アーム８９ａの付け根部近傍が切欠き９５に対して係合する。すなわち、アーム８９ａが広がる力が、Ｖ字バネ８９を本体１０に対して押し上げる力になり、Ｖ字バネ８９に連結された反射鏡９２が化粧枠８６の内側に嵌まり込む。Ｖ字バネ８９を介して、取付金具９１及び取付金具９１に取り付けられた反射鏡９２は、本体１０に対して支持される。
【０１０４】
取付リング８１は、放熱器１０の高さ方向のほぼ中間に位置し、取付リング８１の下方にＶ字バネ８９が露出しているため、取付リング８１はＶ字バネ８９の操作のじゃまにならない。
【０１０５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０６】
１…照明器具、１０…放熱器、１２…光源取付部、１５…反射体保持部、１６…第１のフィン、１７…第２のフィン、１９…段部、４０…光源、４１…基板、４２…発光素子、４３…蛍光体層、６１…反射体、６２…フランジ部、６３…筒部、６５…絶縁部材、６６…第１のリング部、６７…第２のリング部、６８…第３のリング部、７１…延長部、７５，７５’…透光カバー、７６…押さえ部材、８０…保持部材、８１…取付リング、８３…切欠き
【図２】
2014067501.tif 000003
【図３】
2014067501.tif 000004
【図４】
2014067501.tif 000005
【図５】
2014067501.tif 000006
【図６】
2014067501.tif 000007
【図７】
2014067501.tif 000008
【図８】
2014067501.tif 000009
【図９】
2014067501.tif 000010
【図１０】
2014067501.tif 000011
【図１１】
2014067501.tif 000012
【図１２】
2014067501.tif 000013
【図１３】
2014067501.tif 000014
【図１】
2014067501.tif 000015